(57)【要約】      （修正有）【課題】  嵩張らず携帯に便利で必要なときにすぐ使え、安価であり、しかも着用者が常に快適に過ごせる簡易ハットを提供すること。【解決手段】  本発明の簡易ハットは、本体１２と、この本体に取り付けられ頭部に支えられる帯体１３と、前記本体に着脱可能に固着される保冷部材１５とから成る。【選択図】図１
2006052494.tif 000002
【特許請求の範囲】
【請求項１】
本体と、この本体に取り付けられ頭部に支えられる帯体と、前記本体に着脱可能に固着される部材と、から成ることを特徴とする簡易ハット。
【請求項２】
本体と、この本体に取り付けられ頭部に支えられる帯体と、この帯体に着脱可能に固着される部材と、から成ることを特徴とする簡易ハット。
【請求項３】
前記部材は、保冷部材であることを特徴とする請求項１又は２記載の簡易ハット。
【請求項４】
前記部材は、磁石を保持するシール部材であることを特徴とする請求項１又は２記載の簡易ハット。
【請求項５】
前記部材は、発熱保温部材であることを特徴とする請求項１又は２記載の簡易ハット。
【請求項６】
本体と、この本体に取り付けられ頭部に支えられる帯体とを備え、保冷部材、磁気シール部材又は発熱保温部材を前記本体又は前記帯体に着脱可能に固着する部分を有することを特徴とする簡易ハット。
【発明の詳細な説明】
【技術分野】
【０００１】
本発明は、携帯に便利な、簡易の帽子（ハット）に関する。
【背景技術】
【０００２】
夏の暑い日などには、帽子があると暑さをしのぐことができ、快適である。しかし、帽子は通常、嵩張るものでありカバンなどに入れておくことはできず、自宅などを出るときには気がまわらなく、外に出て特に炎天下で初めて、帽子を持ってくればよかったと気づくことがしばしばある。
【０００３】
このように従来の帽子は持ち運びに不便であり、暑い日に必要になったときその場で使えるような帽子は従来なかった。
【０００４】
従来知られている紙製の帽子はいくつかある。例えば、特許文献１には、通気性素材からなる帽子本体とこの帽子本体を保持すべく帽子本体にシールによって取り付けられた保持体からなる帽子が記載されている。また特許文献２には、製作が容易で安価な紙製の切り抜き折り畳み帽子が記載されている。
【０００５】
しかし、前者は使用に際しては組み立てが複雑であり、シールがついているので、平らにすることができずやはり嵩張って、携帯に不便である。また後者も、使用に際しては複雑な折りたたみ工程が必要であり、使いたいときにすぐ使えるようなものではない。
【０００６】
このような従来の帽子の問題に対して、本件出願人は先に嵩張らず携帯に便利で安価な簡易ハットを出願した（特願２００４−１８４９２８号）。
【特許文献１】特開平９−３１７３６号公報
【特許文献２】実用新案登録第３００８０７５号公報
【発明の開示】
【発明が解決しようとする課題】
【０００７】
本発明は、先に出願した帽子を改良し、嵩張らず携帯に便利で必要なときにすぐ使え、安価であり、しかも着用者が常に快適に過ごせる簡易ハットを提供することを目的とする。
【課題を解決するための手段】
【０００８】
本発明の請求項１によれば、本体と、この本体に取り付けられ頭部に支えられる帯体と、前記本体に着脱可能に固着される部材と、から成ることを特徴とする簡易ハットを提供する。
【０００９】
本発明の請求項２によれば、本体と、この本体に取り付けられ頭部に支えられる帯体と、この帯体に着脱可能に固着される部材と、から成ることを特徴とする簡易ハットを提供する。
【００１０】
本発明の請求項３によれば、請求項１又は２記載の簡易ハットにおいて、前記部材は保冷部材であることを特徴とする。
【００１１】
本発明の請求項４によれば、請求項１又は２記載の簡易ハットにおいて、前記部材は、磁石を保持するシール部材であることを特徴とする。
【００１２】
本発明の請求項５によれば、請求項１又は２記載の簡易ハットにおいて、前記部材は発熱保温部材であることを特徴とする。
【００１３】
本発明の請求項６によれば、本体と、この本体に取り付けられ頭部に支えられる帯体とを備え、保冷部材、磁気シール部材又は発熱保温部材を前記本体又は前記帯体に着脱可能に固着する部分を有することを特徴とする簡易ハットを提供する。
【発明の効果】
【００１４】
本発明によれば、嵩張らず携帯に便利であり、しかも必要なときにすぐ使用でき、安価であるだけでなく、着用者が快適に過ごせる簡易ハットを得られる効果がある。
【発明を実施するための最良の形態】
【００１５】
以下、本発明の実施形態について図面を用いて説明する。図１（ａ）に、保冷部材を前頭部に当たる帯体に付ける本発明一実施形態の、保冷ハット１０を裏返したときの様子を示す。
【００１６】
この保冷ハット１１は、日差しを遮るための本体１２と、この本体１２の下面に、この本体１２を頭部に支えるための帯体１３と、本体１２及び帯体１３の前部に付けられたひさし部１４と、上記帯体１３に取り付けられ冷気を長く保持する保冷部材１５とから成る。
【００１７】
本体１２と帯体１３は、例えばポリエチレンやポリプロピレンなどの混合物の、繊維性が高く丈夫で軽い化学繊維により作られている。この化学繊維で作られている帯体１３の着用者の前頭部に当たる前頭当接部分１３ａに、上記保冷部材１５が着脱自在に取り付けられる。
【００１８】
例えば、図１（ｂ）に示すように長方形状をした可撓性の上記保冷部材１５の一方の面２１には、粘着剤２２が塗布されこれに剥離可能な紙２３が付けられており、他方の面２４にはこの保冷部材が額に当たったとき冷気を伝えるようになっている。保冷部材１５に付されている紙２３を剥がして粘着剤２２が塗布されている面を、帯体１３の前頭当接部分１３ａに当てて、押し付けることによって、保冷部材１５を帯体１３のこの前頭当接部分１３ａに固着させることが可能となる。また、帯体１３の前頭当接部分１３ａに固着されている保冷部材１５を強く引っ張ることにより、保冷部材１５を帯体１３から剥がすことができる。
【００１９】
本体１２及び帯体１３は、押しつぶすことが可能であり、着用者は、これらを押しつぶすことによって平べったくして、嵩張らず、容易に携帯が可能となる。保冷部材１５としては、貼り付けることが可能な市販のものを用いることが可能である。
【００２０】
この実施形態において、本体１２は通気性のよい紙を用いてもよい。このようにすれば、着用者の頭部に熱気がこもることがなく、快適に行動することができる。
【００２１】
本発明のこの実施形態によれば、保冷部材により冷気を着用者の当接部分に与えることにより、特に暑い日には着用者を快適に過ごさせることが可能である。
【００２２】
上記実施形態においては、帯体の前頭当接部分に保冷部材を粘着剤により固着させていた。しかし、この前頭当接部分に限らず、着用者の側頭当接部分、あるいは後頭当接部分に保冷部材に固着するようにするようにしてもよい。又前頭、側頭、後頭の各当接部分に保冷部材を固着するようにすれば、着用者に与える冷気は更に大きくなり、より快適に過ごすことが可能となる。
【００２３】
次に本発明の他の実施例について図２を用いて説明する。この実施形態では、保冷部材は本体に固着される。
【００２４】
すなわち、この保冷ハット３１は、日差しを遮るための本体３２と、この本体３２の下面に、この本体３２を頭部に支えるための帯体３３と、本体３２及び帯体３３の前部に付けられたひさし部３４と、上記帯体３３に取り付けられ冷気を長く保持する保冷部材３５とから成る。
【００２５】
本体３２と帯体３３は、例えばポリエチレンやポリプロピレンなどの混合物の、繊維性が高く丈夫で軽い化学繊維により作られている。この化学繊維で作られている本体３２の着用者の天頂部に当たる天頂当接部分３３ａに、上記保冷部材３５が着脱自在に取り付けられる。保冷部材３５の構造自体は、上記図１に示した実施形態における保冷部材１５と同じでよいが、大きさは保冷部材１５より大きく、正方形に近い形のものを用いることが好ましい。
【００２６】
この保冷部材３５もその一方の面に付されている紙を剥離して、保冷ハットの本体の天頂部３２ａに押し付けることによって、粘着剤により保冷部材２５を本体に固着することができる。長期間の使用により、ハットの帯体部分、ひさし部などが擦り切れてきたり、臭いがついてきたときには、保冷部材３５を剥がして古いハットを捨てる。
【００２７】
このように保冷ハットを長く使っていると、汚れや破れが生ずることになるが、このような場合には、保冷部材を剥がして、保冷部材が固着されていない簡易ハットを購入などして手に入れ、これの帯体に保冷部材を貼れば、同様に保冷効果を有する保冷ハットが得られ、保冷部材を長く使用することができる。
【００２８】
また、保冷部材を簡易ハットとは別途保管し、暑い日に帯体に固着して保冷ハットとして使用することもできる。このように使用する場合、保冷部材を帯体に固着するときには、保冷部材の厚みにより保冷ハットが被りにくくなることがあるが、このような場合には、帯体を弾力性を有する材料を用いることにより、保冷部材を帯体に固着した場合も固着しない場合と同様な被り心地を提供することが可能となる。
【００２９】
上記実施形態で用いる保冷部材は、ジェル剤を封入した市販のものを用いてもよいし、本発明に適したものとして製造してもよい。
【００３０】
上記実施形態において、保冷ハットの材料としては、化学繊維を用いた場合について述べた。しかし化学繊維に限られず、丈夫で軽く通気性のよい紙を用いても良い。
【００３１】
本発明の上記実施形態の説明ではひさし部を有する保冷ハットについて説明した。しかし、ひさし部を有しないハットにも本発明は適用可能である。また上記実施形態では、紙を剥がすことにより保冷部材を帯体または本体に固着できるものについて述べた。しかし本発明では、冷気などを良好に伝える両面テープなどの部材により保冷部材を帯体または本体に固着してもよい。
【００３２】
本発明による上記実施形態では、保冷部材を簡易ハットに付けて使用する場合について述べた。しかし、本発明は、保冷部材を簡易ハットに固着する保冷ハットだけでなく、磁石を並べたシールなどを帯体あるいは、本体に固着するようにしてもよい。またこのような磁気シールと上記保冷部材を同時に帯体や本体に固着することもできる。
【００３３】
あるいはまた、夏の暑い日には保冷部材を簡易ハットに固着し、それ以外の日には上記磁気シールを簡易ハットに固着することもできる。
【００３４】
更にまた、本発明において簡易ハットに固着するものは、保冷部材や磁気シールに限られず、化学反応により熱を発生し接触部分の保温を行う発熱保温部材を簡易ハットに固着させることも可能である。これによれば、木枯らしが吹くような冬の寒い日には、簡易ハットに発熱保温部材を固着することによって、頭部を暖かく保持することができ、寒い日にも着用者は快適に行動することができる利点がある。
【００３５】
なお、本発明でいう簡易ハットには、ハンチング帽や、通常の帽子など、頭にかぶって日差しを避けるものが含まれる。本発明の簡易ハットは使い捨てとすることができ、春先など花粉が多く飛ぶときなどには、部材を取り除いてハットのみを新しいものと替えることができ花粉症対策にもなる。
【００３６】
本発明による簡易ハットに、人に心地よい匂いを付着させることも可能である。このようにすれば、本発明による簡易ハットを被るとき、使用者は爽快に感じることができる。
【００３７】
本発明において、保冷部材などの部材を除いたものもこの部材を固着したものも簡易ハットという。
【図面の簡単な説明】
【００３８】
【図１】本発明一実施形態の構造を説明するための図。
【図２】本発明の他の実施形態の構造を説明するための図。
【符号の説明】
【００３９】
１１，３１・・・保冷ハット、
１２，３２・・・本体、
１３，３３・・・帯体、
１３ａ・・・前頭当接部分、
１４，３４・・・ひさし部、
１５，３５・・・保冷部材、
２２・・・粘着剤、
２３・・・紙、
３２ａ・・・天頂部。
【図１】
2006052494.tif 000003
【図２】
2006052494.tif 000004